(57)【要約】【課題】文書や音声など各種の容量の大きいデータを、ＣＤとかの電子的な媒体ではなく、紙などの通常の媒体にコンパクトに容易に記録し、容易に読み取って復元出来るシステムを提供すること。【解決手段】文書や音声など各種のデータを、１と０のビットコードで対応させて表し、該１と０のビットコード列から白黒（モノクロ）のドット画像を生成し、ドットの大きさやドットとドットの間隔を制御して、該白黒（モノクロ）のドット画像を紙などの各種の媒体に描画などの方法により記録保存し、該紙などの媒体に記録保存された白黒（モノクロ）のドット画像をスキャナーやカメラなどの通常の読み取り装置で処理装置に入力して、該処理装置で該読み込んだ白黒（モノクロ）のドット画像を復号して、元の文書とか音声に戻し、容量の大きなデータであっても、コンパクトで容易な記録保存と取り出しを、特殊な記録媒体や処理装置を用いずに容易に実現する。【選択図】    図１
2004348693.tif 000002
【特許請求の範囲】
【請求項１】
文書とか音声とかの各種のデータを、１と０のビットコード列で表し、これを基に作成された白黒（モノクロ）のドット画像を紙や木などの各種の媒体に描画することによって該各種のデータを記録保存し、該記録保存された白黒（モノクロ）のドット画像から該各種のデータを復元するシステムであって、文書とか音声とかの各種のデータを１と０のビットコード列で対応させて表す手段と、該１と０のビットコード列に対応した白黒（モノクロ）のドット画像を生成する手段と、該白黒（モノクロ）のドット画像を紙などの媒体に印刷とか描画などの各種の方法で記録保存する手段と、該記録保存された白黒（モノクロ）のドット画像をスキャナー、カメラなどの各種の読み取り装置で読み取る手段と、該読み取り手段で読み取った白黒（モノクロ）のドット画像を処理する白黒（モノクロ）ドットコード処理装置と、該白黒（モノクロ）ドットコード処理装置で該白黒（モノクロ）のドット画像から該文書とか音声とかの各種のデータを復元する手段と、を備えたことを特徴とする、白黒ドットコードシステム。
【請求項２】
前記、文書とか音声とかの各種のデータを１と０のビットコード列で表す手段は、コンピュータなどの内部での文書とか音声とかの表現形式であるバイナリーデータを１と０のビットコード列に対応させて表すことを特徴とする請求項１記載の白黒ドットコードシステム
【請求項３】
前記、白黒（モノクロ）のドット画像を、紙や木やガラスや布やプラスチックなどの各種の記録用媒体に印刷とか描画などにより記録保存する手段は、該各種の媒体の品質および該媒体に対する記録装置の精度に応じて、白黒（モノクロ）のドットの大きさ、ドットとドットの間隔を定めて記録し、例えば、現時点でのパソコン用のインクジェットプリンターでプリンター用紙にプリント出力する場合には、印刷用紙の品質と該インクジェットプリンターの印刷精度に鑑みて、印刷の各ドットの大きさを、縦が０．１ｍｍ〜０．２ｍｍ、横が０．１ｍｍ〜０．２ｍｍの大きさとし、ドットとドットの間隔として、例えば、横方向（プリンターヘッドのスキャン方向）を０．１ｍｍ〜０．２ｍｍ、縦方向（紙の送りの方向）を０．１ｍｍ〜０．２ｍｍとすることを特徴とする請求項１記載の白黒ドットコードシステム
【請求項４】
前記、紙などの各種の媒体に記録保存した白黒（モノクロ）のドット画像を読み取る手段は、接触または非接触の方式およびレンズを用いて拡大して読み取る方式であり、接触方式としては、パソコンなどの処理装置の周辺装置としてのスキャナー、ハンディスキャナーなどであること、非接触方式では、ディジタルカメラ、ビデオカメラ、カメラ付の携帯電話／携帯端末であることを特徴とする請求項１記載の白黒ドットコードシステム
【請求項５】
前記、白黒（モノクロ）のドット画像を読み取る手段と、該読み取った白黒（モノクロ）のドット画像から文書とか音声などの各種のデータを復元する手段と、音声再生装置を備えて、各種の媒体に記録された白黒（モノクロ）のドット画像から音声を再生することを特徴とする請求項１記載の白黒ドットコード音声再生装置
【請求項６】
請求項１、請求項２、請求項３、請求項４、請求項５、に記載の白黒ドットコードシステムを、コンピュータにおいて実現するためのプログラム。
【発明の詳細な説明】
【０００１】
【発明の属する技術分野】
本発明は、文書とか音声とかの各種の容量の大きいデータを、通常のフロッピーとかＣＤとかの電子的方法とは異なる形態で記録保存する方法に係り、文書とか音声とかの各種のデータを白黒コードに対応させて変換して白黒コード列として表現し、該白黒コード列から白黒のドット画像を生成し、該白黒のドット画像を紙や布や木やガラスやプラスチックや石などの各種の媒体に記録、保存する方法であって、該白黒のドット画像を、該各種の媒体に、該各種の媒体に適した記録装置を用い、また、該記録用媒体の品質、該記録装置の品質、および読み取り装置の品質に応じて、記録する白黒のドットおよびドットとドットの間隔を小さくしたり、大きくしたりして、白黒のドット画像を該各種の媒体に印刷したり、描画したり、掘り込んだりして記録保存し、該記録保存した白黒のドット画像を該記録保存された媒体に適した読み取り手段で読み取って、ドットコード処理装置に入力し、該白黒のドット画像を該ドットコード処理装置で該文書とか音声とかの各種のデータに復元することを可能とする、白黒ドットコードシステムに関する。
【０００２】
【従来の技術】
今日、バーコードシステムが普及して、各商品にバーコードが貼り付けられて、スーパーマーケットのレジなどでは、商品に貼り付けられたバーコードを読み取って、商品の金額を入力している。この商品に貼り付けられたバーコードは、商品の説明のデータを白黒の線で表現したものということが出来る。また、バーコードには一次元だけでなく、二次元のバーコードも実現されている。しかし、このバーコードでは表現できる情報量はきわめて少ない。
【０００３】
【発明が解決しようとする課題】
しかしながら、バーコードは線であって、点（ドット）ではない。従って、バーコードで表現できるデータ量は非常に限られているという欠点があった。さらに、バーコードでは、線の太さ、線と線との間隔等が規定されており、媒体の品質や読み取り装置の品質に応じて線の太さを太くするとかの柔軟な対応は出来なかった。
【０００４】
そこで本発明は上記事情に鑑みて、容量の大きいデータであっても、紙とか木とかの通常の媒体に容易に記録保存することが可能となるシステムを提供し、かつ、該媒体の品質や読み取り装置の品質に応じて柔軟に対応可能なシステムを提供することを目的とする。
【０００５】
【課題を解決するための手段】
上記目的を達成するために、本発明の白黒ドットコードシステムは、文書とか音声とかの各種のデータを、１と０のビットコード列で表し、該１と０のビットコード列の各１と０のビットコードに白黒のドットを対応させて、白黒のドット画像を生成し、該白黒のドット画像を、各ドットの大きさおよび、ドットとドットの間隔を制御して、紙とか木とかの各種の媒体に描画したり、印刷したり、また、掘り込む等の各種の方法を用いて記録保存し、該記録保存した白黒のドット画像をスキャナーなどの読み取り装置を用いたり、カメラなどで撮影して、ドットコード処理装置に読み込んで、該文書とか音声とかのデータを復元するという手段を備えるように構成したものである。
【０００６】
上記構成により、バーコードなどと違って、非常に多くのデータをコンパクトに表現して、紙、布、ガラス、木、プラスチック、石などの各種の媒体に、媒体の品質や読み取り装置の品質に応じて、ドットの大きさを調整して記録保存することが容易に実現が可能となる。また、ドットの大きさ及びドットとドットの間隔を制御して記録保存させることにより、読み取り装置で読み取るに際して、精密な制御を必要とせずともよく、また、高度なエラー処理もせずともよい、通常のパソコンなどの周辺装置のスキャナーなどを利用して読み取ることが容易に実現が可能となる。
【０００７】
【発明の実施の形態】
以下、図面を参照して、本発明の実施の形態を説明する。なお、本実施の形態における白黒ドットコードシステムの説明は、コンピュータにより実行するプログラムを含むものである。
【０００８】
［第１の実施形態］
図１は、本発明の実施形態に係る、文書とか音声とかの各種のデータを白黒のドット画像データとして表現し、該白黒のドット画像データを紙とか木とかの各種の媒体に記録することによって、該文書とか音声とかの各種のデータを保存し、該各種の媒体に記録保存された白黒のドット画像データをカメラとかスキャナーで読み取って、ドットコード処理装置で処理することによって、元の各種のデータに復元するという、白黒ドットコードシステムのブロック図である。以下図１を用いて説明してゆく。
【０００９】
まず、文書データＤ１とか音声データＤ２とかの各種のデータを、１と０のビットコード列Ｄ３として表現する。次に該１と０のビットコード列Ｄ３から、各１と０のビットコードに白黒のドットを対応させた白黒のドット画像Ｄ４を生成する。次に、該白黒のドット画像Ｄ４を、印刷などの方法によって紙などの各種の媒体に記録し、該記録された画像Ｄ５として、該文書とか音声とかの各種のデータが該媒体に記録保存されることとなる。このようにして、該紙などの各種の媒体に記録保存された該白黒のドット画像Ｄ５から、元の文書データＤ１とか音声データＤ２を復元するには、スキャナーなどの読み取り装置Ｆ１により、パソコンなどのドットコード処理装置Ｆ２に該白黒のドット画像Ｄ５を読み込み、該ドットコード処理装置で復元処理することにより、元の文書データＤ１ａ、音声データＤ２ａを復元する。
【００１０】
図２は、ドットコード処理装置Ｆ２のブロック図である。ドットコード処理装置Ｆ２は図２に示すように、白黒のドット画像入力処理部Ｐ１と、画素から１と０のビットコードへの変換処理部Ｐ２と、１と０のビットコード列生成処理部Ｐ３と、バイナリーデータ生成処理部Ｐ４と、バイナリーデータから１と０のビットコード列生成処理部Ｐ５と、白黒のドット画像生成処理部Ｐ６と、白黒のドット画像出力処理部Ｐ７とを有して構成されるものである。
【００１１】
紙などの媒体に記録保存された白黒のドット画像は該白黒のドット画像入力処理部Ｐ１を経由して該ドットコード処理装置Ｆ２に入力されて、該画素から１と０のビットコードへの変換処理部Ｐ２と、１と０のビットコード列生成処理部Ｐ３と、バイナリーデータ生成処理部Ｐ４と、によって各処理をなされて、文書とか音声とかの各種のデータＤ６が復元される。
【００１２】
また、基の文書とか音声とかの各種のデータＤ７は、バイナリーデータから１と０のビットコード列生成処理部Ｐ５と、白黒のドット画像生成処理部Ｐ６と、白黒のドット画像出力処理部Ｐ７と、によって各処理をなされて、紙などの媒体に白黒のドット画像として記録保存される。
【００１３】
図３は、文書のデータを１と０のビットコード列で表す方法についての説明図である。同図で、文書データＤ８は、パソコンなどのコンピュータ機器の内部データ形式としては、例えば、バイナリー形式Ｄ９として表現されている。これに対して、１と０のビットコードを用いることにより、該文書データＤ８の該バイナリーデータ形式Ｄ９の対応付けＤ１０を行い、１と０のビットコード列Ｄ１１を生成する。
【００１４】
図４は、１と０のビットコード列を白黒のドット画像として表現する方法についての説明図である。同図で、１と０は、対応する白黒のドットＤ１２として表現される。該白黒のドットＤ１２を用いることによって、文書データの白黒ドットコード列Ｄ１１は、白黒のドット画像Ｄ１３として表現される。
【００１５】
図５は、白黒のドット画像を、プリンターでプリント用紙に印刷記録する方法についての説明図である。同図で、白黒のドット画像Ｄ１３は、パソコンなどのドットコード処理装置Ｆ２により、各白黒のドットの大きさ、白黒ドットと白黒ドットとの間の縦の間隔、横の間隔が制御されて、プリンターＦ２により白黒のドット画像の記録保存Ｄ１４が生成される。
【００１６】
図６は、プリンター用紙に記録保存された白黒のドット画像をスキャナーで読み取る方法についての説明図である。同図で、プリンター用紙に記録保存された白黒のドット画像Ｄ１４はスキャナーＦ１を用いてパソコンなどのドットコード処理装置Ｆ２に画像データＤ１５として取り込まれる。
【００１７】
図７は、スキャナーでドットコード処理装置に読み込まれた白黒のドット画像から、元の文書とか音声とかの各種データを復元する方法についての説明図である。同図で、該読み込まれた白黒のドット画像Ｄ１５は、該ドットコード処理装置Ｆ２の画素から１と０のビットコードへの変換処理部Ｐ２を用いて、各画素ごとに対応する１と０のビットコードに変換され、１と０のビットコード列生成処理部Ｐ３を用いて、１と０のビット列Ｄ１１を生成する。次に、該ドットコード処理装置のバイナリーデータ生成処理部Ｐ４を用いて、該１と０のビットコード列Ｄ１１から、元の文書Ｄ８を復元する。
【００１８】
［第２の実施形態］
次に本発明の第２の実施形態の、白黒ドットコードシステムを用いた音声再生装置について説明する。図８は本発明の実施形態に係る、音声再生装置の構成図である。以下、図８を用いて説明してゆく。
【００１９】
まず、複数の音声データの白黒のドット画像を複数の紙に印刷して、音声ブックＤ１６を作成する。次に、該音声ブックＤ１６の各ページ全体の白黒のドット画像、または、各ページの部分白黒のドット画像を、ハンディスキャナーＦ４を用いて、処理装置Ｆ５に読み込む。次に該処理装置Ｆ５を用いて、白黒のドット画像から元の音声データを復元し、スピーカＦ６、或いは、ヘッドホンＦ７で音声を再生する。
【００２０】
図９は、音声ブックの作成方法についての説明図である。同図で、例えばまず、基となる音声データＤ２１から１と０のビットコード列Ｄ３１を生成し、該１と０のビットコード列Ｄ３１から白黒のドット画像Ｄ４１を生成し、該白黒のドット画像Ｄ４１を記録保存した紙Ｄ５１を作成する。同様にして、音声データＤ２２を基にして生成された白黒のドット画像Ｄ４２を記録保存した紙Ｄ５２を作成し、音声データＤ２３を基にして生成された白黒のドット画像を記録保存した紙Ｄ５３を作成する。次に、該紙Ｄ５１、Ｄ５２、Ｄ５３を集めて、各音声データに関する絵を該白黒のドット画像Ｄ４１、Ｄ４２、Ｄ４３に付加したり目次やタイトルをつける処理Ｆ８を行い、音声ブックＤ１６が作成されることとなる。
【００２１】
［第３の実施形態］
次に本発明の第３の実施形態の、白黒ドットコードシステムを用いた、リアルタイム・カード読み取り認証装置について説明する。図１０は、本発明の実施形態に係る、リアルタイム・カード読み取り認証装置の構成図である。以下、図１０を用いて説明してゆく。
【００２２】
まず、カードの利用者本人に関する各種のデータの白黒のドット画像を記録したカードＦ９から、カメラＦ１０もしくはスキャナーＦ１を用いて、リアルタイム・カード読み取り認証装置の処理装置Ｆ１１に白黒ドット画像を取り込む。次に、該処理装置Ｆ１１に取り込んだ白黒のドット画像データから、該処理装置Ｆ１１を用いて、リアルタイムでカードの利用者本人に関する各種のデータを復元する。次に、該処理装置Ｆ１１は、ネットワークＦ１２を経由して、サーバＦ１３のデータベースＦ１４から、該利用者本人に関するデータを取り寄せ、該復元された利用者本人のデータとの照合を行う。照合の結果、利用者本人と認証されたか否かに従って、該処理装置Ｆ１１は機器コントローラＦ１５に機器Ｆ１６を制御する指令を出して、機器Ｆ１６の操作を行う。例えば、カードＦ９が入退出許可証などの場合には、機器Ｆ１６は入退出ゲートとなる。
【００２３】
【発明の効果】
以上説明したように、本発明の白黒ドットコードシステムによれば、文書とか音声とかの各種の容量の大きいデータを、１と０のビットコードに対応させて変換し、変換された１と０のビットコードを白黒のドットに対応させて白黒のドット画像を生成し、該白黒のドット画像を、各ドットの大きさおよびドットとドットの間隔を制御して、フロッピーとかＣＤとかの電子的に記録保存する媒体とは異なる、通常の紙とか木とかの各種の媒体に描画したり、印刷したり、また、掘り込んだりして記録保存し、該記録保存した白黒のドット画像をスキャナーで読み込んだり、また、カメラなどで撮影してパソコンなどのドットコード処理装置に入力し、該ドットコード処理装置で元の文書とか音声とかのデータに復元するという手段を備えるように構成したものであり、上記構成により、容量の大きい各種のデータをコンパクトに表現して電子的媒体とは異なる通常の各種媒体に記録保存し、該記録保存された各種のデータを、通常のスキャナーとかカメラなどで容易に読み取り、パソコンなどの通常の処理装置で容易に復元することが実現されるという効果が得られる。
【図面の簡単な説明】
【図１】本発明の実施形態に係る、白黒ドットコードシステムの方式のブロック図である。
【図２】本発明の実施形態に係る、白黒ドットコードシステムのドットコード処理装置のブロック図である。
【図３】文書データを１と０のビットコード列で表す方法を示す図である。
【図４】１と０のビットコード列を白黒のドット画像で表す方法を示す図である。
【図５】白黒のドット画像をプリント用紙に印刷記録する方法を示す図である。
【図６】印刷記録された白黒のドット画像をスキャナーでドットコード処理装置へ読み込んだ結果の画像を示す図である。
【図７】ドットコード処理装置での白黒のドット画像からの文書データの復元処理の処理フロー図である。
【図８】第２の実施形態に係る、音声再生装置の構成図である。
【図９】第２の実施形態に係る、音声ブックの作成図である。
【図１０】第３の実施形態に係る、リアルタイムカード読み取り認証装置の構成図である。
【符号の説明】
Ｄ１  文書データ
Ｄ１ａ  復元文書データ
Ｄ２  音声データ
Ｄ２ａ  復元音声データ
Ｄ３  ビットコード列での表現
Ｄ４  白黒ドットの画像の生成
Ｄ５  紙などの媒体に白黒ドットの画像の記録保存
Ｄ６  復元された文書とか音声とかの各種のデータ
Ｄ７  文書とか音声とかの各種のデータ
Ｄ８  「私は敬子です。」の文書データ
Ｄ９  「私は敬子です。」の文書データのバイナリーデータ形式
Ｄ１０  バイナリーデータと１と０のビットコードの対応付け
Ｄ１１  「私は敬子です。」の文書データの１と０のビットコード列
Ｄ１２  １と０のビットコードと白黒ドットとの対応付け。
Ｄ１３  「私は敬子です。」の文書データの白黒ドット画像表現
Ｄ１４  紙に印刷記録された白黒のドット画像
Ｄ１５  スキャナーで読み込まれた白黒ドット画像
Ｄ１６  音声ブック
Ｄ２１、Ｄ２２、Ｄ２３  音声ブックの基となる音声データ
Ｄ３１、Ｄ３２、Ｄ３３  音声データの１と０のビットコード列
Ｄ４１、Ｄ４２、Ｄ４３  音声データの白黒ドット画像
Ｄ５１、Ｄ５２、Ｄ５３  白黒のドット画像を記録保存した紙
Ｆ１  スキャナー
Ｆ２  ドットコード処理装置
Ｆ３  プリンター
Ｆ４  ハンディスキャナー
Ｆ５  音声再生処理装置の処理装置
Ｆ６  スピーカ
Ｆ７  ヘッドホン
Ｆ８  複数の白黒のドット画像を記録した紙をまとめて、目次をつける処理
Ｆ９  白黒のドット画像を印刷したカード
Ｆ１０  カメラ
Ｆ１１  白黒ドット画像の復元処理装置
Ｆ１２  ネットワーク
Ｆ１３  サーバ
Ｆ１４  データベース
Ｆ１５  機器コントローラ
Ｆ１６  ゲートなどの機器
Ｐ１  白黒ドット画像入力処理部
Ｐ２  画素の１と０のビットコードへの変換処理部
Ｐ３  １と０のビットコード列生成処理部
Ｐ４  バイナリーデータ生成処理部
Ｐ５  バイナリーデータから１と０のビットコード列生成処理部
Ｐ６  白黒ドット画像生成処理部
Ｐ７  白黒ドット画像出力処理部
【図１】
2004348693.tif 000003
【図２】
2004348693.tif 000004
【図３】
2004348693.tif 000005
【図４】
2004348693.tif 000006
【図５】
2004348693.tif 000007
【図６】
2004348693.tif 000008
【図７】
2004348693.tif 000009
【図８】
2004348693.tif 000010
【図９】
2004348693.tif 000011
【図１０】
2004348693.tif 000012